(57)【要約】      （修正有）【課題】パッキン付きボタンおよびそれに使用するパッキンを提供する。【解決手段】ボタン本体２と、生地１を介して裏側からかしめる裏止め体３と、裏止め体３側の前記生地１に貼り付けられるパッキン４とからなる。前記パッキン４は、シリコンシートが好ましく、貼付け面はホットメルト加工されている。パッキンを介在させるので、生地の伸縮性を押さえることができ、薄手の生地、弾性のある生地、ビニールシート等に対してボタンを打付けにより取り付けても、打付け圧力により生地が裂けたり、ボタンが脱落したり、ボタンの穴からほつれたりすることがない。【選択図】図２
0003144973.tif 000002
【実用新案登録請求の範囲】
【請求項１】
生地固定物本体（２）と、生地（１）を介して裏側からかしめる裏止め体（３）と、裏止め体側の前記生地に貼り付けられるパッキン（４）とからなり、前記パッキン（４）は、貼付け面がホットメルト加工されていることを特徴とする生地固定物。
【請求項２】
生地固定物本体（２）と、生地（１）を介して裏側からかしめる裏止め体（３）とを有する生地固定物において、裏止め体（３）側の前記生地（１）に貼り付けられるパッキン（４）であって、
前記パッキン（４）は、貼付け面がホットメルト加工されていることを特徴とするパッキン。
【請求項３】
生地固定物本体（２Ａ）と、第１生地（１Ａ）を介して裏側からかしめる裏止め体（３Ａ）と、裏止め体側の前記第１生地に貼り付けられるパッキンとからなり、
前記パッキンは、シート層（４Ａ）と、第２布地（６）と、ホットメルトフィルム（５）を積層してなることを特徴とする生地固定物。
【請求項４】
生地固定物本体（２Ａ）と、生地（１Ａ）を介して裏側からかしめる裏止め体（３Ａ）とを有する生地固定物において、裏止め体側の前記第１生地に貼り付けられるパッキンであって、
前記パッキンは、シート層（４Ａ）と、第２布地（６）と、ホットメルトフィルム（５）を積層してなることを特徴とするパッキン。
【請求項５】
前記パッキン（４）がシリコンシートからなるものである請求項１又は３記載の生地固定物。
【請求項６】
前記シート層（４Ａ）がシリコンシートである請求項２又は４記載のパッキン。
【請求項７】
前記生地固定物が、スナップボタン、ネオバボタン、リベット、ハトメの何れかであり、生地の表裏から機械による打付けで直接取り付けるタイプのものである請求項１、３、５の何れかに記載の生地固定物。
【請求項８】
前記生地固定物が、スナップボタン、ネオバボタン、リベット、ハトメの何れかであり、生地の表裏から機械による打付けで直接取り付けるタイプのものである請求項２、４、６の何れかに記載のパッキン。
【考案の詳細な説明】
【技術分野】
【０００１】
本考案は、生地固定物及びそれに用いるパッキンに関する。「生地固定物」とは、スナップボタン、ネオバボタン、リベット、ハトメ、等で、生地の表裏から機械による打付けで直接取り付けるタイプのものをいう。以下の説明では、ボタンを例にして説明する。
【背景技術】
【０００２】
薄手の生地、弾性のある生地、ビニールシート等に、糸止めではなく、機械による打付けでボタンを取り付けるとき、打付け圧力により生地が裂けたり、ボタンが脱落したりすることがある。また、使用中にボタンの穴からほつれることもある。
【０００３】
このような欠点をなくすために、ボタンと生地の間にパッキンを介在させる方法が知られている（下記特許文献１〜４参照）。
【特許文献１】特開平８−１７３２１４号
【特許文献２】特開平８−２９４４０５号
【特許文献３】特開平１０−１０８７１２号
【特許文献４】特開２００６−６８３８８
【考案の開示】
【考案が解決しようとする課題】
【０００４】
特許文献１では、パッキンは「座に合致する抜止め鍔と中心に脚挿通孔を形成」している。特許文献２では、パッキンは「ホック頭体の生地挟着凹面」に形成する。いずれも非常に精密に裁断されたパッキンを使用する。
【０００５】
特許文献３及び４では、パッキンはボタン自体に貼付け又は取付けられているため、取付のための前処理に時間がかかる。
【０００６】
本考案は、これらの欠点を解消させるもので、パッキンは精密に裁断されたものでなくてもよく、ボタン自体に貼付け又は取付けられるものでもないので、前処理に時間がかからないようなボタンおよびそれに使用するパッキンを提供することを目的とする。
【課題を解決するための手段】
【０００７】
本考案請求項１の生地固定物は、生地固定物本体と、生地を介して裏側からかしめる裏止め体と、裏止め体側の前記生地に貼り付けられるパッキンとからなり、前記パッキンは、貼付け面がホットメルト加工されていることを特徴とする。
【０００８】
請求項１で使用するパッキンは、生地固定物本体と、生地を介して裏側からかしめる裏止め体とを有する生地固定物において、裏止め体側の前記生地に貼り付けられるパッキンであり、前記パッキンは、貼付け面がホットメルト加工されていることを特徴とする。
【０００９】
本考案請求項３の生地固定物は、生地固定物本体と、生地を介して裏側からかしめる裏止め体と、裏止め体側の前記生地に貼り付けられるパッキンとからなり、前記パッキンは、シート層と、布地と、ホットメルトフィルムを積層してなることを特徴とする。
【００１０】
請求項３で使用するパッキンは、生地固定物本体と、生地を介して裏側からかしめる裏止め体とを有する生地固定物において、裏止め体側の前記生地に貼り付けられるパッキンであって、前記パッキンは、シート層と、布地と、ホットメルトフィルムを積層してなることを特徴とする。
【００１１】
前記パッキン及びシート層としては、シリコンシートからなるものが好ましい。
【考案の効果】
【００１２】
本考案請求項１の考案によれば、パッキンは貼付け面がホットメルト加工されているので、次のような効果が得られる。
（１）パッキンを介在させるので、生地の伸縮性を押さえることができ、薄手の生地、弾性のある生地、ビニールシート等に対してボタンを打付けにより取り付けても、打付け圧力により生地が裂けたり、ボタンが脱落したり、ボタンの穴からほつれたりすることがない。
（２）ホットメルト加工でパッキンを生地に固定するので、生地への取り付けが容易である。
（３）パッキンを介在させるのでボタンがずれず、ボタン頭部も回転しない。ボタン頭部に文字や図形を描いている場合などにボタン頭部が回転しないのは美感上好ましい。
【００１３】
本考案請求項３の考案によれば、パッキンはシート層と、布地と、ホットメルトフィルムを積層してなるので、次のような効果が得られる。
（１）パッキンを介在させるので、生地の伸縮性を押さえることができ、薄手の生地、弾性のある生地、ビニールシート等に対してボタンを打付けにより取り付けても、打付け圧力により生地が裂けたり、ボタンが脱落したり、ボタンの穴からほつれることがない。
（２）ホットメルトフィルムを有するので、生地への取り付けが容易である。
（３）パッキンを介在させるのでボタンがずれず、ボタン頭部も回転しない。ボタン頭部に文字や図形を描いている場合などにボタン頭部が回転しないのは美感上好ましい。
【考案を実施するための最良の形態】
【００１４】
本考案請求項１においては、パッキンは、シリコンシートが好ましい。貼付け面はホットメルト加工されている必要があるが、その他の点では自由に設定することができる。例えば、形状や大きさは裏止め体を覆うのに十分であれば足りる。
【００１５】
本考案請求項３においては、パッキンは、シート層と、布地と、ホットメルトフィルムを積層してなる。シート層としては、シリコンシートが好ましい。貼付け面はホットフィルムを有することが必要であるが、その他の点では自由に設定することができる。例えば、形状や大きさは裏止め体を覆うのに十分であれば足りる。３層の順序は、生地に一番近い面から、ホットメルトフィルム、布地、シート層の順であることが好ましい。３層はほぼ同じ大きさであることが好ましい。
【実施例１】
【００１６】
以下、添付の図面に基づき、本考案の実施例を説明する。
【００１７】
図１は、本考案の１実施例に係るボタンの雄部材の展開斜視図である。生地１上に置かれた雄部材本体２に対して、裏止め体３がパッキン４を介して打付け機械により打ち付けられる。図２は完成状態の断面図である。この例では、生地に取付孔を予め開けているが、打付けにより裏止め体３により切断開口させることもできる。
【００１８】
雄部材本体２は、平面部２１とそこから起立する係合凸部２２を有する。平面部にはリング状突起２３が設けられている。
【００１９】
裏止め体３は、平面部３１とそこから起立する係合凸部３２を有する。平面部３１にはリング状突起３３が設けられている。
【００２０】
本考案で使用するパッキン４は、予めボタン取付位置であって、裏止め体側の生地に貼り付けられる。パッキン４はシリコンシートであり、貼付け面にはホットメルト加工が施されている。この例では、パッキン４に取付孔４１を予め開けているが、打付けにより裏止め体３により切断開口させることもできる。
【実施例２】
【００２１】
図示しないが、実施例１においてパッキン４の形状をテープ状とすることができる。これにより、パッキンの取付間隔を間違えることがなくなる。
【実施例３】
【００２２】
図３、図４は、本考案の第３実施例である。図３は、ボタンの雄部材の展開斜視図である。生地１Ａ上に置かれた雄部材本体２Ａに対して、裏止め体３Ａがパッキンを介して打付け機械により打ち付けられる。図４は完成状態の断面図である。この例では、生地に取付孔を予め開けているが、打付けにより裏止め体３により切断開口させることもできる。
【００２３】
実施例３と実施例１との相違点は、生地１Ａとシリコンシート４Ａの間にホットメルトフィルム５と別の第２生地６が介在していることである。シリコンシート４Ａ、ホットメルトフィルム５、第２生地６はすべてほぼ同じ大きさである。
【００２４】
ホットメルトフィルム５は、予め生地１Ａと生地６とを熱接着する役割を有する。シリコンシート４Ａと第２生地６はボタンの表裏部材をかしめるときに同時に強固に結合される。
【００２５】
本実施例３では、ホットメルトとシリコンシートの特徴を持ちながら、さらに第２生地を介在させることにより、実施例１よりも丈夫なものとなる。
【実施例４】
【００２６】
図示しないが、実施例３においてパッキンの形状をテープ状とすることができる。これにより、パッキンの取付間隔を間違えることがなくなる。
【図面の簡単な説明】
【００２７】
【図１】本考案の実施例１に係るボタンの雄部材の展開斜視図である。
【図２】完成状態のボタンの断面図である。
【図３】本考案の実施例３に係るボタンの雄部材の展開斜視図である。
【図４】完成状態のボタンの断面図である。
【符号の説明】
【００２８】
１，１Ａ      第１生地
２，２Ａ      雄部材本体
２１   平面部
２２   係合凸部
２３   リング状突起
３，３Ａ      裏止め体
３１   平面部
３２   係合凸部
３３   リング状突起
４     パッキン
４１   取付孔
４Ａ   シリコンシート
５     ホットメルトフィルム
６     第２生地
【図１】
0003144973.tif 000003
【図２】
0003144973.tif 000004
【図３】
0003144973.tif 000005
【図４】
0003144973.tif 000006